(57)【要約】【課題】寺社における本堂などの法要場所や墓所に行かずに、いかなる天候や気象状況にあっても、家庭など遠隔地に居ながらの法事や墓参を可能にし、また、読経の文言を、読経に合わせて文字情報として家庭の端末装置に表示し、その内容を理解しやすくし、さらに、法要や墓参の日時や場所などの予約、それらに関する支払の煩わしさを解消することができる墓参システムを提供する。【解決手段】寺社における本堂などの法要場所や墓所の映像信号、音声信号、および文字情報などのデータ信号を、インターネットを伝送媒体として法要場所や墓所から離れた所の端末装置に伝送し得るように構成したため、家庭などの遠隔地に居ながら実際に法要や墓参をしていると同様な効果が得られるように墓参システムを構築した。【選択図】図１
2005100125.tif 000002
【特許請求の範囲】
【請求項１】
寺社における本堂などの法要場所や墓所の映像信号、音声信号、および文字などのデータ信号を、インターネットを伝送媒体として提供する情報提供システムと、この情報提供システムからインターネットを介して提供されるそれらの信号を受信する情報受信システムからなり、法要場所や墓所から離れた場所において法事や墓参を行うことを特徴とする遠隔墓参システム。
【請求項２】
寺社における本堂などの法要場所や墓所の映像信号、音声信号、および文字などのデータ信号を、あらかじめ記録媒体に記録しておき、必要に応じて情報受信システムに提供することを特徴とする請求項１に記載の遠隔墓参システム。
【請求項３】
情報受信システムを複数箇所に有することを特徴とする請求項１または請求項２のいずれかに記載の遠隔墓参システム。
【請求項４】
寺社における本堂などの法要場所や墓所の映像や音声に、法要場所や墓前において行われる読経を含むことを特徴とする請求項１乃至請求項３のいずれかに記載の遠隔墓参システム。
【請求項５】
寺社における本堂などの法要場所や墓前において行われる読経の文言を文字情報として送出することを特徴とする請求項１乃至請求項４のいずれかに記載の遠隔墓参システム。
【請求項６】
法事の予約をインターネットを通じて行うことを特徴とする請求項１乃至請求項５のいずれかに記載の遠隔墓参システム。
【請求項７】
法事の代金をインターネットを通じて決済することを特徴とする請求項１乃至請求項６のいずれかに記載の遠隔墓参システム。
【発明の詳細な説明】
【技術分野】
【０００１】
本発明は、寺社における本堂などの法要場所や墓所の映像信号、音声信号および文字などのデータ信号を、インターネットを媒体として家庭などの端末装置に伝送し、家庭など遠隔地に居ながらの法事や墓参を可能にする遠隔墓参システムに関する。
【背景技術】
【０００２】
一般に仏壇は家庭にあり、故人の位牌や先祖代々の位牌を安置してある。そして家庭において日常的に先祖を偲び祀るが、親族の脳裏には故人の生前の姿や、墓の状況などを思い浮かべていることも多い。
【０００３】
彼岸やお盆などには、家族や親族が実際に故人や先祖の墓参を行い、また、各回忌には親族が一堂に会して法要を行い、墓参を行っている。
【０００４】
墓参や法事は一般的に年に数回行われており、普段会えない親族同士が一堂に会するよい機会ではあるが、体力的に問題を抱える高齢者にとってはかなりの負担となり、また各人の時間や健康状態、そして費用などに問題を生じることがある。
【０００５】
すなわち、墓所が居住地から遠方にあって時間的に都合がつかない親族もあり得るため、全員が一同に会する日時の決定が困難であったり、健康上墓参が困難な親族がいる場合もあり得る。
【０００６】
また、遠隔地に居住する親族は墓参のために多くの日数を要することもあり、また交通費や宿泊費など、多額の出費を余儀なくされる場合もある。
【０００７】
さらに、墓参の当日に悪天候のため予期せず墓参が不可能になる場合もあり、地域によっては積雪のために、物理的に墓参が不可能となる場合もあり得る。
【０００８】
一方、寺社における本堂などの法要場所や墓前において行われる読経の文言は、一般の人には理解できない内容が多く、折角の読経がその価値を十分に活かされていない。
【０００９】
法事などの日時を決定するまでには出席者の都合や会場の都合など、いろいろな要素が複雑に関連し、予約の日時や人数の変更なども煩雑であるため、主催者は非日常的な作業に関し寺社などとの打合せに多くの時間や労力をかけることとなる。
【００１０】
また、法事や墓参の時に寺社に納めるお布施、供物、献花用の生花などの支払は、その準備なども含めてかなり手間がかかり、煩雑である。
【００１１】
【特許文献１】特開２００２−３３４１６３号公報
【００１２】
【特許文献２】特開２００２−２５１４８８号公報
【００１３】
【特許文献３】特開２００２−２５１４８７号公報
【００１４】
【特許文献４】特開２００２−１９７２１０号公報
【発明の開示】
【発明が解決しようとする課題】
【００１５】
この発明は、かかる現状に鑑み創案されたものであって、その目的とするところは、寺社における本堂などの法要場所や墓参場所の映像信号、音声信号、文字情報などのデータ信号を、インターネットを伝送媒体として家庭の端末装置に伝送し、家庭などの遠隔地に居ながら法要や墓参を可能にすることにある。
【００１６】
また、いかなる天候や気象状況にあっても、家庭に居ながら法要や墓参を可能にすることにある。
【００１７】
さらに、寺社における本堂などの法要場所や墓前において行われる読経の文言を、読経に合わせて文字情報として家庭の端末装置に表示し、その内容を理解しやすくし、読経の価値をより高めることにある。
【００１８】
さらにまた、法要や墓参の日時や場所などの予約、それらに関する支払の煩わしさを解消することにある。
【課題を解決するための手段】
【００１９】
上記目的を達成するため、請求項１に記載の発明にあっては、寺社における本堂などの法要場所や墓所の映像信号、音声信号、および文字などのデータ信号を、インターネットを伝送媒体として提供する情報提供システムと、この情報提供システムからインターネットを介して提供されるそれらの信号を受信する情報受信システムからなり、法要場所や墓所から離れた場所において法要や墓参を行えるようにしたことを特徴とする。
【００２０】
請求項２に記載の発明にあっては、請求項１を技術的前提とし、寺社における本堂などの法要場所や墓所の映像信号、音声信号および文字などのデータ信号を、あらかじめ記録媒体に記録しておき、法事などの時に、必要に応じて情報受信システムに提供可能とすることを特徴とする。
【００２１】
請求項３に記載の発明にあっては、請求項１または請求項２のいずれかに記載の発明を技術的前提とし、前期情報受信システムを複数箇所に設け、出席者が必ずしも一同に会さなくても法事などを同時刻に行えるようにしたことを特徴とする。
【００２２】
請求項４に記載の発明にあっては、請求項１乃至請求項３のいずれかに記載の発明を技術的前提とし、法要場所や墓前において行われる読経を含む映像信号や音声信号を情報受信システムに提供し、実際に法要場所や墓前にいるような現実感を感じさせることを特徴とする。
【００２３】
請求項５に記載の発明にあっては、請求項１乃至請求項４のいずれかに記載の発明を技術的前提とし、寺社における本堂などの法要場所や墓前において行われる読経の文言を文字情報として送出し、その内容を理解しやすくしたことを特徴とする。
【００２４】
請求項６に記載の発明にあっては、請求項１乃至請求項５のいずれかに記載の発明を技術的前提とし、法事の予約を、インターネットを通じて行い、事前の準備を簡易にしたことを特徴とする。
【００２５】
請求項７に記載の発明にあっては、請求項１乃至請求項６のいずれかに記載の発明を技術的前提とし、法事の代金を、インターネットを通じて決済することにより、支払業務を簡易にしたことを特徴とする
【発明の効果】
【００２６】
以上説明したように、請求項１に記載の発明にあっては、寺社における本堂などの法要場所や墓所の映像信号、音声信号、および文字情報などのデータ信号を、インターネットを伝送媒体として法要場所や墓所から離れた所の端末装置に伝送し得るように構成したため、家庭などの遠隔地に居ながら実際に法要や墓参をしていると同様な効果が得られる。
【００２７】
尚、この発明において、文字情報とは、法事や墓参などの式次第、即ち当日のスケジュールを画面に表示したり、教を読む僧侶の名前や、当日の法要の対象となる故人の戒名などを画面に表示して、参列者の便宜を図ることができる。
【００２８】
請求項２の発明にあっては、寺社における本堂などの法要場所や墓参場所の映像信号、音声信号、および文字などのデータ信号を、あらかじめ記録媒体に記録しておき、法事などの時に、必要に応じて情報受信システムに提供可能としたため、墓参の当日に予期せぬ悪天候となっても参拝でき、地域によっては積雪のために、物理的に墓参が不可能でも参拝することができる。
【００２９】
請求項３の発明にあっては、情報受信システムを複数箇所に設けたため、出席者が必ずしも一同に会さなくても法事などを同時刻に行うことができる。
【００３０】
請求項４の発明にあっては、寺社における本堂などの法要場所や墓前において行われる読経を含む映像や音声の信号を情報受信システムに提供し得るため、実際に法要場所や墓前で読経を聞いているような実感を感じさせることができる。
【００３１】
なお、読経の内容を文字として画面に表示することにより、教の意味を理解しやすくすることもできる。この場合には、現代訳を併記し、または置き換えることでより意味を理解し易いように構成することもできる。
【００３２】
請求項５の発明にあっては、法事や墓参の日時や場所などの予約を、インターネットを通じて行えるようにしたため、事前の準備を極めて簡易にすることができる。
【００３３】
請求項６の発明にあっては、法事や墓参に関する費用の支払いを、インターネットを通じて行えるようにしたため、それらに関する支払の煩わしさを解消することができる。
【発明を実施するための最良の形態】
【００３４】
以下、発明の実施例に基づき、この発明を詳細に説明する。
【実施例１】
【００３５】
図１は、本発明になる遠隔墓参システムにおける各信号の流れを説明するための概念図である。
【００３６】
図中符号１は墓苑、墓所などに設けられた情報提供システムであり、映像信号、音声信号および文字などのデータ信号を制作したり送出したりする機器を備えている。
【００３７】
符号２ａ、２ｂ、２ｃは、それぞれ異なる場所にある墓参契約者宅に設置された情報受信システムであり、情報提供システム１から伝送された信号を受信する機器を備えている。
【００３８】
符号３はインターネット伝送網であり、符号４は代金の決済会社である。
【００３９】
情報受信システム２ａを設置した墓参契約者は、インターネット伝送網３を通じて情報提供システム１を設置した墓所に、遠隔法事や遠隔墓参の予約を行う。
【００４０】
遠隔法事や遠隔墓参の当日、情報提供システム１では法事を行い、また墓前において読経を行い、その状況を撮影してインターネット伝送システム３を介して情報受信システム２ａの墓参契約者に伝送する。
【００４１】
情報受信システム２ａの墓参契約者は、自宅において家族や親族と共に、伝送されてきた映像信号、音声信号、および文字などのデータ信号を再生する情報受信システム２ａの前で法要、墓参に参加する。
【００４２】
距離的な事情や時間的な事情、あるいは身体的な事情で情報受信システム２ａの墓参契約者の自宅に参集できない親族などは、情報受信システム２ｂあるいは情報受信システム２ｃが設置された別の場所で法要、墓参に参加する。
【００４３】
なお、情報受信システム２ａ、２ｂ、２ｃは、それぞれの家庭に設備がなくても、情報提供システム１側から事前にレンタルすることも可能である。
【００４４】
文字情報としては、法事や墓参などの式次第、即ち当日のスケジュールを画面に表示したり、教を読む僧侶の名前や、当日の法要の対象となる故人の戒名やなどを画面に表示することができる。
【００４５】
また、読経の内容を文字で表示したり、現代語訳を表示したりして、参列者にお教の意味を理解しやすくすることもできる。
【００４６】
墓参の状況などは、晴天の日に明るくきれいに収録しておくことも可能であり、墓誌なども撮影しておけば、その墓に葬られている故人全員戒名、俗名、没した年月日などを表示することができ、あらためて各々の故人を偲ぶことができる。
【００４７】
これらの映像は、ＤＶＤなど画質の劣化しない記録媒体に記録しておくことにより、新しく鬼籍には入る人が増えない限り、各回忌の時などに再度使用することができ、経済的である。
【００４８】
遠隔法要や遠隔墓参を終了した後、情報受信システム２a を設置した墓参契約者は、インターネット伝送網３を通じて情報提供システム１側に対して、遠隔法要や遠隔墓参の代金の決済を行う。
【００４９】
この代金決済は、決済会社４を通じて行うことも可能であり、支払そのものはインターネット・バンキングなどを通じて支払うことも可能である。
【００５０】
尚、このシステムに好適な装置としては、例えば、特開２００１−２０５６１号「納骨システム」、特開２００２−２１３１０９号「納骨収容容器の保管部構造」、特開２００２−２０６３５５号「納骨システムにおける参拝装置」及び特開２００２−２３５４５９号「納骨収納容器の搬送装置」を用いることで、インターネットを利用した遠隔墓参システムをより自動的に行うことができる。
【産業上の利用の可能性】
【００５１】
この発明にかかる遠隔墓参システムは、寺社における本堂などの法要場所や墓参場所の映像信号、音声信号、文字情報などのデータ信号を、インターネットを伝送媒体として家庭の端末装置に伝送するため、遠隔地である家庭や、親族が集まった場所など複数の場所で、居ながらにして同時に法要や墓参を行うことが可能となる。
【００５２】
また、この発明にかかる遠隔墓参システムは、寺社における本堂などの法要場所や墓所の映像信号、音声信号、および文字などのデータ信号を、あらかじめ記録媒体に記録しておくことができるため、法事などの当日に予期せぬ悪天候となっても、予定通りの情報を情報受信システムに提供し、法事や墓参を計画通りに遂行することが可能となる。
【００５３】
予約を受けた法事や墓参の当日に、寺社などにおいて時間的な都合がつかない場合でも、事前に記録媒体に記録しておくことにより、予定通りの情報を情報受信システムに提供し、法事や墓参の予約通りに遂行することが可能となる。
【００５４】
さらに、この発明にかかる遠隔墓参システムは、法事や墓参に関わる予約業務や、その支払業務を家に居ながらにして遂行することができる。
【図面の簡単な説明】
【００５５】
【図１】本発明になる遠隔墓参システムにおける各種の信号の流れを説明するための概念図である。
【符号の説明】
【００５６】
１  情報提供システム
２ａ，２ｂ，２ｃ  情報受信システム
３  インターネット伝送網
４  決済会社
【図１】
2005100125.tif 000003